(57)【要約】      （修正有）【課題】重量の重いレーザ脱毛機を容易に移動可能にするレーザ脱毛機の取っ手を提供する。【解決手段】キャスター３を備えたレーザ脱毛機本体２と、本体２と着脱自在なケーブル４の先端に設けられたレーザ照射用のハンドピースと、本体２の左右側面の各々に、ハンドピース収納用のホルダ６を止めるホルダ止め具７がネジ止めされたレーザ脱毛機用の取っ手１０であり、左右一組の取っ手用ステー１１、取っ手用ステー１１の先端部間に装着可能な取っ手用バー１２とを備える。取っ手用ステー１１は、基部側に設けたねじ止め部が本体２の左右側面とホルダ止め具７の間に挟み、ホルダ止め具７とともに本体２の左右側面にねじ止め可能に形成されている。本体２にねじ止め後の取っ手用ステー１１の先端側が前方方向に延設し、先端部間に取っ手用バー１２が装着可能に形成されている。【選択図】図１
0003234303.tif 000002
【実用新案登録請求の範囲】
【請求項１】
下部にキャスターを備えたレーザ脱毛機本体と、レーザ脱毛機本体と着脱自在なケーブルの先端に設けられたレーザ照射用のハンドピースと、レーザ脱毛機本体の左右側面の各々に、ハンドピース収納用のホルダを掛け止めるホルダ止め具がねじ止めされたレーザ脱毛機用の取っ手であって、
左右一組の取っ手用ステーと、
左右一組の取っ手用ステーの先端部間に装着可能な取っ手用バーと、
を備え、
左右の取っ手用ステーは、
基部側にホルダ止め具のねじ孔と合うねじ孔の形成されたねじ止め部を有し、ねじ止め部をレーザ脱毛機本体の左右側面とホルダ止め具の間に挟み、ホルダ止め具とともにレーザ脱毛機本体の左右側面にねじ止め可能に形成されており、
レーザ脱毛機本体の左右側面にねじ止め後の左右の取っ手用ステーの先端側がレーザ脱毛機本体の前方方向に延設された状態となり、左右の取っ手用ステーの先端部間に取っ手用バーの左右端部が装着可能に形成されていること、
を特徴とするレーザ脱毛機の取っ手。
【考案の詳細な説明】
【技術分野】
【０００１】
本考案はレーザ脱毛機の取っ手に係り、とくに重量のある業務用のレーザ脱毛機の取っ手に関する。
【背景技術】
【０００２】
脱毛サロンなどで使用される業務用のレーザ脱毛機がある。このレーザ脱毛機は、両端にコネクタとレーザを照射するハンドピースを備えた長く太いケーブルを備えており、コネクタ側を本体前面のコネクタに連結して使用するようになっている。レーザ脱毛機を使用際、ベッドに寝た被施術者の左側から右側、または右側から左側へ移動したい場合がある。業務用のレーザ脱毛機は、下部に移動用のキャスターが着いているが、背後に回って押す必要があるが、重量が重く、移動させるのに大変な苦労していた。
【考案の概要】
【考案が解決しようとする課題】
【０００３】
本考案は上記した従来技術の問題に鑑みなされたもので、重量の重いレーザ脱毛機を容易に移動可能にするレーザ脱毛機用の取っ手を提供することを、その目的とする。
【課題を解決するための手段】
【０００４】
請求項１記載の考案は、
下部にキャスターを備えたレーザ脱毛機本体と、レーザ脱毛機本体と着脱自在なケーブルの先端に設けられたレーザ照射用のハンドピースと、レーザ脱毛機本体の左右側面の各々に、ハンドピース収納用のホルダを止めるホルダ止め具がねじ止めされたレーザ脱毛機用の取っ手であって、
左右一組の取っ手用ステーと、
左右一組の取っ手用ステーの先端部間に装着可能な取っ手用バーと、
を備え、
左右の取っ手用ステーは、
基部側にホルダ止め具のねじ孔と合うねじ孔の形成されたねじ止め部を有し、ねじ止め部をレーザ脱毛機本体の左右側面とホルダ止め具の間に挟み、ホルダ止め具とともにレーザ脱毛機本体の左右側面にねじ止め可能に形成されており、
レーザ脱毛機本体の左右側面にねじ止め後の左右の取っ手用ステーの先端側がレーザ脱毛機本体の前方方向に延設された状態となり、左右の取っ手用ステーの先端部間に取っ手用バーの左右端部が装着可能に形成されていること、
を特徴としている。
【考案の効果】
【０００５】
本考案によれば、レーザ脱毛機を移動させたい場合、本体の前側に有る取っ手用バーを掴んで引くことで、容易に所望場所へ移動させることができ、また、取っ手用バーを押して壁寄りに移動することもできる。
【図面の簡単な説明】
【０００６】
【図１】図１は本考案の一実施例に係るレーザ脱毛機を示す外観斜視図である（実施例１）。
【図２】図１中の取っ手用ステーの正面図である。
【図３】図３は取っ手の取り付け手順を示す説明図である。
【図４】図４は取っ手の取り付け手順を示す説明図である。
【図５】図５は取っ手の取り付け手順を示す説明図である。
【図６】図６は取っ手の取り付け手順を示す説明図である。
【考案を実施するための最良の形態】
【０００７】
以下、本考案の最良の形態を実施例に基づき説明する。
【実施例１】
【０００８】
図１乃至図６を用いて本考案の一実施例に係るレーザ脱毛機を説明する。図１は本考案の一実施例に係るレーザ脱毛機の外観斜視図、図２は図１中の取っ手用ステーの正面図、図３乃至図６は図１中の取っ手の取り付け手順の説明図である。
図１において、１はレーザ脱毛機、２はレーザ脱毛機本体、３はレーザ脱毛機本体の下部に備えたキャスター、４は先端にレーザ照射用のハンドピース（図３の符号５）を備え、レーザ脱毛機本体２と着脱自在なケーブル、６はレーザ脱毛機本体２の左右側面に各々、設けられたハンドピース収納用のホルダである。ホルダ６はレーザ脱毛機本体２の左右側面に各々、ねじ止めされたホルダ止め具７に掛脱自在に掛け止めることができる。ホルダ止め具７には３つのねじ孔８が穿設されており、レーザ脱毛機本体２の左右側面には左右対称に、ねじ孔８に対応する雌螺子の形成されたねじ孔９が穿設されている（図５参照）。ここでは、ねじ孔８は雌螺子が無いものとする。
【０００９】
１０はレーザ脱毛機本体２に後付けで取り付けられた取っ手であり、レーザ脱毛機１の左右から前側にかけてコ字状に配設されている。取っ手１０は、左右一組の細長板状の取っ手用ステー１１（図２参照）と、左右一組の取っ手用ステー１１の先端部間に装着された棒状の取っ手用バー１２とからなる。
左右の取っ手用ステー１１は、基部側にホルダ止め具７のねじ孔８と合うねじ孔１３の形成された略三角板形状のねじ止め部１４を有している。ここでは一例としてねじ孔１３は雌螺子が無いものとする。ねじ止め部１４をレーザ脱毛機本体２の左右側面とホルダ止め具７の間に挟み、ホルダ止め具７ともにレーザ脱毛機本体２の左右側面にねじ２０によりねじ止めされている。また、左右の取っ手用ステー１１の先端側がレーザ脱毛機１の前方に延設されて、二つの取っ手用ステー１１の先端部間に取っ手用バー１２の左右端部が装着されている。
【００１０】
次に図３乃至図６、図１参照して、取っ手無しのレーザ脱毛機本体２への取っ手１０の取り付け手順を説明する。
図３に示す取っ手が無いキャスター付のレーザ脱毛機本体２のホルダ止め具７からホルダ６を外した状態とし、ホルダ止め具７を外部に露出させる（図４、図５（１）参照）。ホルダ止め具７をレーザ脱毛機本体２の左右側面に固定しているねじ２０を外し、一旦、ホルダ止め具７を取り外す（図５（２）参照）。
【００１１】
次に、レーザ脱毛機本体２の左側面との間に左側用の取っ手用ステー１１の基部側のねじ止め部１４を挟みながら、ねじ２０により、ホルダ止め具７とねじ止め部１４を一緒にレーザ脱毛機本体２の左側面にねじ止めする。この際、取っ手用ステー１１の先端側がレーザ脱毛機本体２の前方方向に延設した状態となるようにする（図６参照）。
レーザ脱毛機本体２の右側面についても、全く同様にして、レーザ脱毛機本体２の右側面との間に右側用の取っ手用ステー１１の基部側のねじ止め部１４を挟みながら、ねじ２０により、ホルダ止め具７とねじ止め部１４を一緒にレーザ脱毛機本体２の右側面にねじ止めする。この際、取っ手用ステー１１の先端側がレーザ脱毛機本体２の前方方向に延設した状態となるようにする。
左右の取っ手用ステー１１の先端部の間に、取っ手用バー１２を装着することにより、取っ手の取り付けが完了する。最後に、ホルダ６をホルダ止め具７に掛け止めることで、作業が完了する（図１参照）。
【００１２】
この実施例によれば、レーザ脱毛機１を移動させたい場合、レーザ脱毛機本体２の前側に有る取っ手用バー１２を掴んで引くことで、容易に所望場所へ移動させることができ、また、取っ手用バー１２を押して壁寄りに移動することもできる。
また、取っ手の無いレーザ脱毛機本体２に後付けすることができる。
また、取っ手用ステー１１の基部がホルダ止め具７に重なり、目立たないので、美観が損なわれることもない。
【産業上の利用可能性】
【００１３】
本考案は、業務用のレーザ脱毛機に適用可能である。
【符号の説明】
【００１４】
１  レーザ脱毛機
２  レーザ脱毛機本体
４  ケーブル
５  ハンドピース
６  ホルダ
７  ホルダ止め具
１０  取っ手
１１  取っ手用ステー
１２  取っ手用バー
１４  ねじ止め部
２０  ねじ
【図１】
0003234303.tif 000003
【図２】
0003234303.tif 000004
【図３】
0003234303.tif 000005
【図４】
0003234303.tif 000006
【図５】
0003234303.tif 000007
【図６】
0003234303.tif 000008
【手続補正書】
【提出日】令和3年8月6日(2021.8.6)
【手続補正２】
【補正対象書類名】明細書
【補正対象項目名】０００１
【補正方法】変更
【補正の内容】
【０００１】
本考案は脱毛機の取っ手に係り、とくに重量のある業務用の脱毛機の取っ手に関する。
【手続補正３】
【補正対象書類名】明細書
【補正対象項目名】０００３
【補正方法】変更
【補正の内容】
【０００３】
本考案は上記した従来技術の問題に鑑みなされたもので、重量の重い脱毛機を容易に移動可能にする脱毛機の取っ手を提供することを、その目的とする。
【手続補正４】
【補正対象書類名】明細書
【補正対象項目名】０００４
【補正方法】変更
【補正の内容】
【０００４】
請求項１記載の考案は、
下部にキャスターを備えた脱毛機本体と、脱毛機本体と着脱自在なケーブルの先端に設けられた光照射用のハンドピースと、脱毛機本体の左右側面の各々に、ハンドピース収納用のホルダを止めるホルダ止め具がねじ止めされた脱毛機の取っ手であって、
左右一組の取っ手用ステーと、
左右一組の取っ手用ステーの先端部間に装着可能な取っ手用バーと、
を備え、
左右の取っ手用ステーは、
基部側にホルダ止め具のねじ孔と合うねじ孔の形成されたねじ止め部を有し、ねじ止め部を脱毛機本体の左右側面とホルダ止め具の間に挟み、ホルダ止め具とともに脱毛機本体の左右側面にねじ止め可能に形成されており、
脱毛機本体の左右側面にねじ止め後の左右の取っ手用ステーの先端側が脱毛機本体の前方方向に延設された状態となり、左右の取っ手用ステーの先端部間に取っ手用バーの左右端部が装着可能に形成されていること、
を特徴としている。
【手続補正５】
【補正対象書類名】明細書
【補正対象項目名】０００５
【補正方法】変更
【補正の内容】
【０００５】
本考案によれば、脱毛機を移動させたい場合、本体の前側に有る取っ手用バーを掴んで引くことで、容易に所望場所へ移動させることができ、また、取っ手用バーを押して壁寄りに移動することもできる。
【手続補正６】
【補正対象書類名】実用新案登録請求の範囲
【補正対象項目名】全文
【補正方法】変更
【補正の内容】
【実用新案登録請求の範囲】
【請求項１】
下部にキャスターを備えた脱毛機本体と、脱毛機本体と着脱自在なケーブルの先端に設けられた光照射用のハンドピースと、脱毛機本体の左右側面の各々に、ハンドピース収納用のホルダを掛け止めるホルダ止め具がねじ止めされた脱毛機の取っ手であって、
左右一組の取っ手用ステーと、
左右一組の取っ手用ステーの先端部間に装着可能な取っ手用バーと、
を備え、
左右の取っ手用ステーは、
基部側にホルダ止め具のねじ孔と合うねじ孔の形成されたねじ止め部を有し、ねじ止め部を脱毛機本体の左右側面とホルダ止め具の間に挟み、ホルダ止め具とともに脱毛機本体の左右側面にねじ止め可能に形成されており、
脱毛機本体の左右側面にねじ止め後の左右の取っ手用ステーの先端側が脱毛機本体の前方方向に延設された状態となり、左右の取っ手用ステーの先端部間に取っ手用バーの左右端部が装着可能に形成されていること、
を特徴とする脱毛機の取っ手。
【手続補正書】
【提出日】令和3年8月7日(2021.8.7)
【手続補正１】
【補正対象書類名】明細書
【補正対象項目名】００１３
【補正方法】変更
【補正の内容】
【００１３】
本考案は、業務用の脱毛機に適用可能である。